(57)【特許請求の範囲】
【請求項１】
移動端末であって、
近距離通信モジュールと、前記近距離通信モジュールとマッチングして近距離通信を実現する通信アンテナと、を含み、
前記通信アンテナは、前記移動端末の外装アンテナであり、前記通信アンテナが作動する際に前記近距離通信モジュールとループを形成し、
前記近距離通信モジュールには第１接続部材と第２接続部材が設けられ、前記通信アンテナには第１アンテナ接続部材と第２アンテナ接続部材が設けられ、前記近距離通信モジュールの前記第１接続部材と前記第２接続部材はそれぞれ前記通信アンテナの前記第１アンテナ接続部材と前記第２アンテナ接続部材に接続され、
前記通信アンテナは少なくとも２本のワイヤーを含み、前記ワイヤーは第１接続端と第２接続端を含み、少なくとも１本の前記ワイヤーの前記第１接続端と前記第２接続端はそれぞれ前記第１接続部材と前記第２接続部材に接続され、
前記移動端末は、前記第１アンテナ接続部材と前記近距離通信モジュールの前記第１接続部材を接続するためのアダプタを更に含み、
前記ワイヤーはイヤホンのワイヤーであり、前記イヤホンは、この順番に接続されたイヤプラグ、ワイヤー及びオーディオプラグを含み、
前記アダプタは、前記イヤプラグとマッチングするスロットと、前記スロット内に設置されて前記第１アンテナ接続部材と組み合わされる第３接続部材と、を含み、
前記移動端末は、前記オーディオプラグとマッチングするオーディオインターフェースを更に含み、
前記第１アンテナ接続部材は前記イヤプラグに設置され、前記第２アンテナ接続部材は前記オーディオプラグであり、
前記イヤプラグを前記スロットに入れておく場合、前記第１アンテナ接続部材は前記スロット内に設置された前記第３接続部材により前記近距離通信モジュールの前記第１接続部材と接続され、前記第２アンテナ接続部材は前記オーディオインターフェースを介して前記近距離通信モジュールの前記第２接続部材と接続される
移動端末。
【請求項２】
前記移動端末はケースとアンテナフレームを含み、前記アンテナフレームは前記ケースに設置され、前記ワイヤーの前記第１接続端と前記第２接続端との間の部分は一定の規則に従って前記アンテナフレームに巻き回されて前記通信アンテナの本体を形成することを特徴とする
請求項１に記載の移動端末。
【請求項３】
前記移動端末は、機能切替モジュールとオーディオ処理モジュールを更に含み、
前記機能切替モジュールは、前記オーディオインターフェースと前記オーディオ処理モジュールとの間の接続、及び前記オーディオインターフェースと前記近距離通信モジュールとの間の接続を切り替えるように構成されることを特徴とする
請求項１に記載の移動端末。
【請求項４】
前記機能切替モジュールは、判断サブモジュールと切替サブモジュールを含み、
前記判断サブモジュールは、前記通信アンテナの前記第１アンテナ接続部材が前記近距離通信モジュールの前記第１接続部材と接続するかどうかを判断し、接続する場合、前記オーディオインターフェースを前記近距離通信モジュールに接続するように前記切替サブモジュールに通知し、接続しない場合、前記オーディオインターフェースを前記オーディオ処理モジュールに接続するように前記切替サブモジュールに通知するように構成されることを特徴とする
請求項３に記載の移動端末。
【請求項５】
移動端末の近距離通信を実現する方法であって、
前記移動端末における近距離通信モジュールが前記移動端末の外装通信アンテナを介して外部と近距離通信することと、
前記通信アンテナが作動する際に前記近距離通信モジュールとループを形成することと、を含み、
前記移動端末における近距離通信モジュールが前記移動端末の外装通信アンテナを介して外部と近距離通信することは、
前記通信アンテナと前記近距離通信モジュールがループを形成するかどうかを判断し、形成する場合、前記移動端末における前記近距離通信モジュールが前記移動端末の前記外装通信アンテナを介して外部と近距離通信することを含み、
前記移動端末はオーディオインターフェースを更に含み、前記通信アンテナがイヤホンのワイヤーからなり、前記イヤホンのワイヤーの両端に第１アンテナ接続部材と第２アンテナ接続部材が設けられ、前記第２アンテナ接続部材が前記イヤホンのオーディオプラグであり、前記近距離通信モジュールに第１接続部材と第２接続部材が設けられ、前記第２アンテナ接続部材は前記オーディオインターフェースを介して前記第２接続部材と接続され、
前記通信アンテナと前記近距離通信モジュールがループを形成するかどうかを判断することは、
前記イヤホンの前記ワイヤーの前記第１アンテナ接続部材が前記近距離通信モジュールの前記第１接続部材と接続されるかどうかを判断し、接続される場合、ループを形成すると判断することを含み、
前記移動端末における近距離通信モジュールが前記移動端末の外装通信アンテナを介して外部と近距離通信することは、
前記オーディオインターフェースと前記近距離通信モジュールを接続させて、前記近距離通信モジュールが前記移動端末の前記外装通信アンテナを介して外部との近距離通信を実現することを含む
移動端末の近距離通信を実現する方法。
【請求項６】
前記移動端末は、オーディオ処理モジュールを更に含み、
前記方法は、前記イヤホンの前記ワイヤーの前記第１アンテナ接続部材が前記近距離通信モジュールの前記第１接続部材と接続されないと判断する場合、前記オーディオインターフェースと前記オーディオ処理モジュールを接続させ、前記オーディオ処理モジュールは前記オーディオインターフェースを介して前記イヤホンと通信されることを更に含むことを特徴とする
請求項５に記載の移動端末の近距離通信を実現する方法。
【請求項７】
前記オーディオインターフェースと前記近距離通信モジュールを接続させて、前記近距離通信モジュールが前記移動端末の前記外装通信アンテナを介して外部との近距離通信を実現することは、
ユーザが入力した確認指示を受信し、前記確認指示に従って前記オーディオインターフェースと前記近距離通信モジュールを接続させて、前記近距離通信モジュールが前記移動端末の前記外装通信アンテナを介して外部との近距離通信を実現することを含むことを特徴とする
請求項５に記載の移動端末の近距離通信を実現する方法。
【発明の詳細な説明】
【技術分野】
【０００１】
本発明は移動通信分野に関し、特に移動端末及びその近距離通信を実現する方法に関する。
【背景技術】
【０００２】
現在、エレクトロニクス技術や通信技術の急速発展に従って、携帯電話で電子決済を行うことは既に幅広く応用されており、ＮＦＣ技術の電子決済での応用範囲は非常に広く、ＮＦＣアンテナの設計が重要である。ＮＦＣアンテナは、ＲＦユニット、受信ユニット、フィルタユニット、ネットワークマッチングユニット及びアンテナコイルを含む。ＮＦＣアンテナは磁気結合によりエネルギーを伝達し、データを交換し、情報を同期化する。現在の方法によれば、一般的に、アンテナコイルが印刷されたフレキシブルプリント回路（ＦＰＣ、Ｆｌｅｘｉｂｌｅ  Ｐｒｉｎｔｅｄ  Ｃｉｒｃｕｉｔ）基板を貼り付けの形式で携帯端末の部材に貼り付け、またその上部面にはフェライト材料を被覆させることで、端末の金属（例えば電池又はマザーボードの金属材料）が磁場エネルギーを吸収することにより、ＮＦＣアンテナの性能に影響を与えることを避ける。通常、ＮＦＣアンテナはいずれも電池の背面カバーに集積されて、ＮＦＣアンテナをアナログカード機能とリーダ機能として利用することができる。ＮＦＣアンテナをアナログカード機能として利用する場合に、ユーザがクレジットカード決済を利用する際に、環境の原因により，リーダに送信された信号が弱くなることを引き起こし、携帯電話の内蔵ＮＦＣアンテナはリーダに送信された信号を検出することができず、カードリーダとの通信品質が悪く、ひいては取引ができないことを引き起こす場合がある。例えば、ユーザは携帯電話をポケットに入れ、且つ取引する際、ユーザが携帯電話を取り出してクレジットカード決済を行うことが不便で、ポケットの妨害により、リーダで送信された信号が携帯電話の内蔵ＮＦＣアンテナで検出されることができず、取引を正常に行うことができず、ユーザの体験を低下させることがある。
【発明の概要】
【発明が解決しようとする課題】
【０００３】
本発明の実施例が解決しようとする主な技術的問題は、移動端末の近距離通信の品質を向上させることができる移動端末及びその近距離通信を実現する方法を提供することである。
【課題を解決するための手段】
【０００４】
上記技術的問題を解決するために、本発明の実施例は移動端末を提供し、前記移動端末は、近距離通信モジュールと、前記近距離通信モジュールとマッチングして近距離通信を実現する通信アンテナとを含み、前記通信アンテナは前記移動端末の外装アンテナであり、前記通信アンテナが作動する際に前記近距離通信モジュールとループを形成する。
【０００５】
好ましくは、前記近距離通信モジュールには第１接続部材と第２接続部材が設けられ、前記通信アンテナには第１アンテナ接続部材と第２アンテナ接続部材が設けられ、前記近距離通信モジュールの前記第１接続部材と前記第２接続部材はそれぞれ前記通信アンテナの前記第１アンテナ接続部材と前記第２アンテナ接続部材に接続され、前記通信アンテナは少なくとも２本のワイヤーを含み、前記ワイヤーは第１接続端と第２接続端を含み、少なくとも１本の前記ワイヤーの前記第１接続端と前記第２接続端はそれぞれ前記第１接続部材と前記第２接続部材に接続される。
【０００６】
好ましくは、前記移動端末はケースとアンテナフレームを含み、前記アンテナフレームは前記ケースに設置され、前記ワイヤーの前記第１接続端と前記第２接続端との間の部分は一定の規則に従って前記アンテナフレームに巻き回されて通信アンテナの本体を形成する。
【０００７】
好ましくは、前記移動端末は、前記第１アンテナ接続部材と前記近距離通信モジュールの前記第１接続部材を接続するためのアダプタを更に含む。
【０００８】
好ましくは、前記ワイヤーはイヤホンのワイヤーであり、前記イヤホンは、この順番に接続されたイヤプラグ、ワイヤー及びオーディオプラグを含み、前記アダプタは、前記イヤプラグとマッチングするスロットと、前記スロット内に設置されて前記第１アンテナ接続部材と組み合わされる第３接続部材と、を含み、前記移動端末は、前記オーディオプラグとマッチングするオーディオインターフェースを更に含み、前記第１アンテナ接続部材は前記イヤプラグに設置され、前記第２アンテナ接続部材は前記オーディオプラグであり、前記イヤプラグを前記スロットに入れておく場合、前記第１アンテナ接続部材は前記スロット内に設置された前記第３接続部材により前記近距離通信モジュールの前記第１接続部材と接続され、前記第２アンテナ接続部材は前記オーディオインターフェースを介して前記近距離通信モジュールの前記第２接続部材と接続される。
【０００９】
好ましくは、前記移動端末は、機能切替モジュールとオーディオ処理モジュールを更に含み、前記機能切替モジュールは、前記オーディオインターフェースと前記オーディオ処理モジュールとの間の接続、及び前記オーディオインターフェースと前記近距離通信モジュールとの間の接続を切り替えるように構成される。
【００１０】
好ましくは、前記機能切替モジュールは、判断サブモジュールと切替サブモジュールを含み、前記判断サブモジュールは、前記通信アンテナの前記第１アンテナ接続部材が前記近距離通信モジュールの前記第１接続部材と接続するかどうかを判断し、接続する場合、前記オーディオインターフェースを前記近距離通信モジュールに接続するように前記切替サブモジュールに通知し、接続しない場合、前記オーディオインターフェースを前記オーディオ処理モジュールに接続するように前記切替サブモジュールに通知するように構成される。
【００１１】
同様に、上記の技術的問題を解決するために、本発明の実施例は移動端末の近距離通信を実現する方法を更に提供し、前記方法は、前記移動端末における近距離通信モジュールが前記移動端末の外装通信アンテナを介して外部と近距離通信することと、前記通信アンテナが作動する際に前記近距離通信モジュールとループを形成することと、を含む。
【００１２】
好ましくは、前記移動端末における近距離通信モジュールが前記移動端末の外装通信アンテナを介して外部と近距離通信することは、
前記通信アンテナと前記近距離通信モジュールがループを形成するかどうかを判断し、形成する場合、前記移動端末における前記近距離通信モジュールが前記移動端末の前記外装通信アンテナを介して外部と近距離通信することを含む。
【００１３】
好ましくは、前記移動端末は、オーディオインターフェースを更に含み、前記通信アンテナがイヤホンのワイヤーからなり、前記イヤホンのワイヤーの両端に第１アンテナ接続部材と第２アンテナ接続部材が設けられ、前記第２アンテナ接続部材が前記イヤホンのオーディオプラグであり、前記近距離通信モジュールに第１接続部材と第２接続部材が設けられ、前記第２アンテナ接続部材が前記オーディオインターフェースを介して前記第２接続部材と接続され、
前記通信アンテナと前記近距離通信モジュールがループを形成するかどうかを判断することは、
前記イヤホンの前記ワイヤーの前記第１アンテナ接続部材が前記近距離通信モジュールの前記第１接続部材と接続されるかどうかを判断し、接続される場合、ループを形成すると判断することを含み、
前記移動端末における近距離通信モジュールが前記移動端末の外装通信アンテナを介して外部と近距離通信することは、
前記オーディオインターフェースと前記近距離通信モジュールを接続させて、前記近距離通信モジュールが前記移動端末の前記外装通信アンテナを介して外部との近距離通信を実現することを含む。
【００１４】
好ましくは、前記移動端末は、オーディオ処理モジュールを更に含み、
前記方法は、イヤホンのワイヤーの第１アンテナ接続部材が前記近距離通信モジュールの第１接続部材と接続されないと判断する場合、オーディオインターフェースと前記オーディオ処理モジュールを接続させ、オーディオ処理モジュールはオーディオインターフェースを介して前記イヤホンと通信されることを更に含む。
【００１５】
好ましくは、前記オーディオインターフェースと前記近距離通信モジュールを接続させて、近距離通信モジュールが前記移動端末の前記外装通信アンテナを介して外部との近距離通信を実現することは、
ユーザが入力した確認指示を受信し、前記確認指示に従って前記オーディオインターフェースと前記近距離通信モジュールを接続させて、前記近距離通信モジュールが前記移動端末の前記外装通信アンテナを介して外部との近距離通信を実現することを含む。
【００１６】
本発明の実施例の有益な効果は、以下のとおりである。
本発明の実施例は移動端末及びその近距離通信を実現する方法を提供し、該移動端末は、近距離通信モジュール、及び前記近距離通信モジュールとマッチングして近距離通信を実現する通信アンテナを含み、前記通信アンテナは前記移動端末の外装アンテナであり、前記通信アンテナが作動する際に前記近距離通信モジュールとループを形成し、該移動端末は外装通信アンテナを介して外部との近距離通信を実現することができ、外装通信アンテナを使用するので、内蔵通信アンテナと比べて近距離通信信号に対する検出能力が強化され、近距離通信の品質が向上する。
【図面の簡単な説明】
【００１７】
【図１】図１は本発明の実施例１の移動端末の構造模式図である。
【図２】図２は本発明の実施例２の移動端末の一種の構造模式図である。
【図３】図３は本発明の実施例２の移動端末の通信アンテナの構造模式図である。
【図４】図４は本発明の実施例２の移動端末の通信アンテナの他種の構造模式図である。
【図５】図５は本発明の実施例２の移動端末の他種の構造模式図である。
【図６】図６は本発明の実施例２の移動端末の他種の構造模式図である。
【発明を実施するための形態】
【００１８】
以下、具体的な実施形態により図面を参照しながら本発明の実施例を更に詳しく説明する。
【００１９】
実施例１
図１に示すように、本実施例の移動端末は、近距離通信モジュール、及び前記近距離通信モジュールとマッチングして近距離通信を実現する通信アンテナを含み、前記通信アンテナは前記移動端末の外装アンテナであり、前記通信アンテナが作動する際に前記近距離通信モジュールとループを形成する。
【００２０】
本実施例における近距離通信モジュールは１３．５６ＭＨｚ近距離通信モジュール、例えばＮＦＣチップであってもよいし、２．４ＧＨｚ近距離通信モジュールであってもよい。
【００２１】
本実施例の移動端末は外装通信アンテナを介して外部カードリーダと近距離通信することができ、近距離通信の品質を向上させる。本実施例の移動端末の外装通信アンテナは特別に製造されたワイヤーを巻き回してなる外装アンテナであってもよいし、移動端末アクセサリのワイヤーからなる外装アンテナ、例えば充電器又はイヤホンのワイヤーを巻き回してなる外装アンテナであってもよい。本実施例の外装通信アンテナの構成形式は多種あり、近距離通信モジュールと効果的なループのワイヤーを形成すればよい。該ワイヤーの材料は一般的なワイヤー材料であってもよいし、結合コイル材、例えば銅、アルミニウムであってもよい。それは、近距離無線通信モジュールとループを形成した場合にのみ近距離通信モジュールの通信アンテナがうまく働くことができるので、本実施形態では、近距離無線通信モジュールとループを形成する通信アンテナの方法を提供することができる。
【００２２】
近距離通信モジュールとループを形成した場合のみ近距離通信モジュールの通信アンテナが作動することができるので、本実施例では通信アンテナと近距離通信モジュールがループを形成する方法を説明する。
【００２３】
本実施例の近距離通信モジュールには第１接続部材と第２接続部材が設けられ、前記通信アンテナには第１アンテナ接続部材と第２アンテナ接続部材が設置され、前記近距離通信モジュールの第１接続部材と第２接続部材はそれぞれ前記通信アンテナの第１アンテナ接続部材と第２アンテナ接続部材に接続され、前記通信アンテナは少なくとも２本のワイヤーを含み、前記ワイヤーは第１接続端と第２接続端を含み、少なくとも１本の前記ワイヤーの第１接続端と第２接続端はそれぞれ前記第１接続部材と第２接続部材に接続される。本実施例における外装通信アンテナと移動端末内の近距離通信モジュールはそれぞれの接続部材により接続される。本実施例におけるアンテナ接続部材は接触点、ピン、半田接合部又はインターフェース等であってよく、異なる接続の方式により異なる接続部材を選択することができる。通信アンテナが接触点接続を選択する場合、該第１及び第２アンテナ接続部材が接触点になることができる。
【００２４】
本実施例における外置アンテナは数本のワイヤーからなり、各本のワイヤーはいずれも独立的なものであり、第１アンテナ接続部材と第２アンテナ接続部材の間に並列接続される。勿論、複数のケーブルから構成されてもよく、各ケーブルに少なくとも１本のワイヤーを含み、各ストランドのケーブルはいずれも独立的なものであり、第１アンテナ接続部材と第２アンテナ接続部材の間に並列接続される。
【００２５】
本実施例における外装通信アンテナの第１アンテナ接続部材と近距離通信モジュールの第１接続部材との接続は主に２種の接続方式を含む。
【００２６】
１つは、第１アンテナ接続部材が直接に近距離通信モジュールの接続部材と接続され、接触点の接続である場合、即ち通信アンテナの接触点と近距離通信モジュールの接触点とは直接に接触されることである。
【００２７】
もう１つは、第１アンテナ接続部材が間接的に近距離通信モジュールの接続部材と接続され、例えば移動端末におけるその他の部品により接続される。
【００２８】
同様に、外装通信アンテナの第２アンテナ接続部材は近距離通信モジュールの第２接続部材との接続も直接と間接という２つの接続方式を含む。
【００２９】
更に外装アンテナの信号検出能力を向上させるために、外装アンテナの形成を設置することができる。異なる形状の外装アンテナを巻き回してなることにより近距離通信の要求を満たす。本実施例の移動端末はケースとアンテナフレームを含み、前記アンテナフレームは前記ケースに設置され、前記ワイヤーの第１接続端と第２接続端との間の部分は一定の規則に従って前記アンテナフレームに巻き回されて通信アンテナの本体を形成する。一般的に近距離通信モジュールとマッチングするアンテナは環状であるので、携帯電話のケースに円盤状のアンテナフレームを設置することでき、外装アンテナを使用する必要がある場合、ワイヤーをアンテナフレームに巻き回して、アンテナの本体を形成し、そして、第１及び第２アンテナ接続部材をそれぞれ近距離通信モジュールの第１及び第２接続部材と接続し、ループを形成し、このように外装近距離通信アンテナを形成する。アンテナの形成過程は容易且つ速く、ユーザが移動端末のアクセサリのワイヤーを利用して外装アンテナを形成する際に更に移動端末のアクセサリを携帯しやすく、移動端末のアクセサリ、例えばイヤホンをアンテナとして使用する際、移動端末のアクセサリのワイヤーをアンテナフレームに巻き回すことができ、紛失を防止することができ、携帯しやすくなる。本実施例におけるアンテナフレームは取り外し可能なものであり、例えば磁気吸引方法により移動端末ケースに設置される。
【００３０】
本実施例の移動端末は更に、前記第１アンテナ接続部材と前記近距離通信モジュールの第１接続部材を接続するためのアダプタを含む。
【００３１】
通信アンテナの第１アンテナ接続部材は前記アダプタにより前記近距離通信モジュールの第１接続部材と接続される。
【００３２】
本実施例の移動端末の外装通信アンテナは取り外し可能なアンテナであってよく、ユーザがクレジットカード決済を必要としない場合、外装通信アンテナを取り外すことができ、ユーザがクレジットカード決済を必要とする場合に外装アンテナを移動端末に取り付けて、通信アンテナの第１及び第２アンテナ接続部材はポートのプラグとし、移動端末に２つのポートを設置して近距離通信モジュールと接続され、ユーザはプラグを介してアンテナを対応するポートに挿し込むだけで、近距離通信モジュールとループを形成することができる。
【００３３】
勿論、本実施例の移動端末の外装アンテナは更に移動端末のアクセサリであってよく、アンテナの第２アンテナ接続部材はアクセサリ付きのプラグ、例えばイヤホンのオーディオプラグであってよく、アクセサリのワイヤーが近距離通信モジュールとループを形成するように、ワイヤーの他端に接続部材を設置し、近距離通信モジュールに接続すればよく、このように１つの完成したループを形成することができ、このとき、アクセサリのワイヤーを近距離通信モジュールのアンテナとして使用することができる。
【００３４】
本実施例の移動端末は外装アンテナを使用して近距離通信を行い、信号環境が悪い場合にも、通信ができ、近距離通信の品質を向上させることができる。
【００３５】
実施例２
本実施例はイヤホンのワイヤーを近距離通信アンテナとすることを例として、本発明の実施例の移動端末が外装アンテナを採用する具体的な作動過程を説明する。図２に示すように、実施例１に基づいて、本実施例の移動端末の外装アンテナはイヤホンのワイヤーで形成され、イヤホンは、この順番で接続されたイヤプラグ、ワイヤーとオーディオプラグを含む。上記アダプタは、前記イヤプラグとマッチングするスロットと、前記スロット内に設置され、前記第１アンテナ接続部材と組み合わせる第３接続部材と、を含み、前記移動端末は、前記オーディオプラグとマッチングしたオーディオインターフェースを更に含み、前記第１アンテナ接続部材は前記イヤプラグに設置され、前記第２アンテナ接続部材は前記オーディオプラグであり、イヤプラグを前記スロットに入れておく場合、前記第１アンテナ接続部材は前記スロット内に設置された第３接続部材により前記近距離通信モジュールの第１接続部材と接続され、前記第２アンテナ接続部材は前記オーディオインターフェースを介して前記近距離通信モジュールの第２接続部材と接続される。本実施例における近距離通信モジュールはＮＦＣチップである。本実施例の移動端末の外装アンテナの形成過程は、図３に示すとおりである。
【００３６】
すなわち、イヤホンのオーディオプラグを携帯電話のオーディオインターフェースに挿し込むことと、
イヤホンのワイヤーを携帯電話のケースのアンテナフレームに巻き回して外装アンテナの本体を形成することと、
イヤプラグをスロットに入れておいて、イヤプラグに設置された第１アンテナ接続部材（例えば接触点）とスロット内に設置された第３接続部材（例えば接触点）を接触させ、このとき、イヤホンのワイヤーは携帯電話内のＮＦＣチップとループを形成し、イヤホンのワイヤーをＮＦＣアンテナとして使用することができることと、を含む。そして、イヤプラグをスロットに入れておいて、及びイヤホンのワイヤーを携帯電話ケースのアンテナフレームに巻き回して、イヤホンの紛失と破損を防止することができる。
【００３７】
図４に示すように、ユーザはイヤホンをスロット内から取り出す場合、イヤプラグに設置された第１アンテナ接続部材（例え接触点）とスロット内に設置された第３接続部材（例えば接触点）を分離させ、このとき、イヤホンのワイヤーと携帯電話のＮＦＣチップはループを形成することができず、イヤホンのワイヤーをＮＦＣアンテナとして使用することができない。
【００３８】
本実施例の外装アンテナはイヤホンのワイヤーからなる。コストを増加させることなく、必要なアクセサリにより常用機能の付加価値サービスを実現し、同時にＮＦＣの支払の安全性にも一定の補助作用を果たす。
【００３９】
実際に応用する過程において、移動端末は内蔵アンテナを利用すると外部のクレジットカード決済端末等の磁場の干渉を受信して誤操作が発生しやすく、即ち未知のクレジットカードの支払とカード消磁等の問題がある。そして、情報の急速な発展に伴い、今日の社会では、ＰＯＳマシンを使用して違法に現金を引き出す多数の例がある。本実施例において、外装アンテナは、ユーザが使用しない場合に、スロットからイヤプラグを取り出し、イヤホンのワイヤーとＮＦＣチップから形成されたループを遮断し、このとき、イヤホンのワイヤーをＮＦＣチップのアンテナとすることができないので、本実施例の移動端末は、ユーザの体験及びユーザ財産の安全性を向上させる。
【００４０】
本実施例において、イヤホンを利用しない場合、イヤホンのワイヤーはＮＦＣのアンテナの結合コイル部分であり、イヤホンとして使用する場合、イヤホンのワイヤーをＮＦＣアンテナとして使用することができず、イヤホンは一般的なイヤホンである。図５に示すように、本実施例の移動端末は、機能切替モジュールとオーディオ処理モジュールを更に含み、前記機能切替モジュールは、前記オーディオインターフェースと前記オーディオ処理モジュールとの間の接続、及び前記オーディオインターフェースと前記近距離通信モジュールとの間の接続を切り替えるように構成される。オーディオインターフェースがオーディオ処理モジュールと接続される場合、イヤホンはオーディオ処理モジュールと通信することができ、オーディオ機能を実現し、オーディオインターフェースが近距離通信モジュール、例えばＮＦＣチップと接続する場合、イヤホンのワイヤーをＮＦＣアンテナとして使用することができ、ＮＦＣの通信機能を実現する。
【００４１】
更に、図６に示すように、本実施例における機能切替モジュールは判断サブモジュールと切替サブモジュールを含み、前記判断サブモジュールは、前記通信アンテナの第１アンテナ接続部材が前記近距離通信モジュールの第１接続部材と接続されるかどうかを判断し、接続される場合、前記オーディオインターフェースを前記近距離通信モジュールに接続するように前記切替サブモジュールに通知し、接続されない場合、前記オーディオインターフェースを前記オーディオ処理モジュールに接続するように前記切替サブモジュールに通知するように構成される。
【００４２】
ユーザはイヤホンを使用しない場合、イヤホンのワイヤーをアンテナフレームに巻き回して、イヤプラグをスロットに入れておいて、このとき、通信アンテナの第１接続部材はスロット内の第３接続部材と接続され、判断サブモジュールは前記通信アンテナの第１アンテナ接続部材が前記近距離通信モジュールの第１接続部材と接続されると判断すると、前記切替サブモジュールに、前記オーディオインターフェースを前記近距離通信モジュールに接続するように通知し、移動端末は近距離通信を開始する。
【００４３】
ユーザはイヤホンを使用しようとする場合、イヤホンのワイヤーを引いて、イヤプラグを取り、このとき、通信アンテナの第１接続部材はスロット内の第３接続部材と分離され、判断サブモジュールは前記通信アンテナの第１アンテナ接続部材が前記近距離通信モジュールの第１接続部材と接続されないと判断すると、前記切替サブモジュールに、前記オーディオインターフェースを前記オーディオ処理モジュールに接続するように通知し、移動端末はオーディオ信号をイヤホンに送信する又は待機になる。
【００４４】
本実施例のイヤホンのワイヤーは複数のケーブルであり、各ケーブルはいずれも２つの独立的に外部と接続される突出点があり、接続した後に閉ループコイルを形成する。
【００４５】
本実施例の移動端末を利用して、近距離通信の品質を向上させることができ、且つコストを増加しない前提で、ユーザの安全性を向上させ、銀行カードの違法スワイプの発生を防止する。
【００４６】
実施例３
本実施例は移動端末の近距離通信を実現する方法を提供し、該方法は、前記移動端末における近距離通信モジュールが前記移動端末の外装通信アンテナを介して外部と近距離通信することと、前記通信アンテナは作動する際に前記近距離通信モジュールとループを形成することとを含む。
【００４７】
前記移動端末における近距離通信モジュールは前記移動端末に外装する通信アンテナを介して外部と近距離通信することは、
前記通信アンテナと前記近距離通信モジュールがループを形成するかどうかを判断し、形成する場合、前記移動端末における近距離通信モジュールが前記移動端末の外装通信アンテナを介して外部と近距離通信することを含む。
【００４８】
イヤホンのワイヤーを利用して外装アンテナを構成する場合、前記移動端末は更にオーディオインターフェースを含み、前記イヤホンのワイヤーの両端に第１アンテナ接続部材と第２アンテナ接続部材が設けられ、前記第２アンテナ接続部材は前記イヤホンのオーディオプラグであり、前記近距離通信モジュールに第１接続部材と第２接続部材が設けられ、前記第２アンテナ接続部材は前記オーディオインターフェースを介して前記第２接続部材と接続される。
【００４９】
上記の前記通信アンテナが前記近距離通信モジュールとループを形成するかどうかを判断することは、
イヤホンのワイヤーの第１アンテナ接続部材が前記近距離通信モジュールの第１接続部材と接続されるかどうかを判断し、接続する場合、ループを形成すると判断することを含む。
【００５０】
上記移動端末における近距離通信モジュールが前記移動端末の外装通信アンテナを介して外部と近距離通信することは、
オーディオインターフェースと前記近距離通信モジュールを接続させて近距離通信モジュールが前記移動端末の外装通信アンテナを介して外部との近距離通信を実現することを含む。
【００５１】
移動端末がオーディオ処理モジュールを更に含む場合には、該オーディオ処理モジュールは、オーディオ信号を処理し、イヤホンのワイヤーの第１アンテナ接続部材が前記近距離通信モジュールの第１接続部材と接続しないと判断する場合、オーディオインターフェースを前記オーディオ処理モジュールと接続させ、オーディオ処理モジュールはオーディオインターフェースを介して前記イヤホンと通信するように構成される。
【００５２】
本実施例の方法においてループを形成するかどうかは２種の異なる作動モードに対応し、ループを形成する場合、オーディオインターフェースが近距離通信モジュールと接続され、外部との近距離通信を実現し、このときにイヤホンのワイヤーは外装通信アンテナであり、ループを形成しない場合、オーディオインターフェースをオーディオ処理モジュールと接続させ、このとき、イヤホンを一般的なイヤホンとして使用し、即ちオーディオ信号を処理する。
【００５３】
安全性を向上させるために、ユーザの確認ステップを増加することができる。上記の前記通信アンテナと前記近距離通信モジュールがループを形成するかどうかを判断し、形成する場合、オーディオインターフェースと前記近距離通信モジュールを接続させて、近距離通信モジュールが前記移動端末の外装通信アンテナを介して外部との近距離通信を実現することは、
前記通信アンテナと前記近距離通信モジュールがループを形成するかどうかを判断し、形成する場合、ユーザが入力した確認指示を受信し、前記確認指示に従ってオーディオインターフェースと前記近距離通信モジュールを接続させて近距離通信モジュールが前記移動端末の外装通信アンテナを介して外部との近距離通信を実現することを含む。
【００５４】
本実施例における移動端末の近距離通信を実現する方法により、移動端末は一般的な移動端末アクセサリのワイヤーを利用して外装アンテナを形成することができ、コストを増加しない場合に近距離通信の品質を向上させ、且つループのオンおよびオフにより通信の安全性を向上させることができる。 
【００５５】
以上、具体的な実施形態を参照しながら本発明を更に詳しく説明した、本発明の具体的な実施形態をこれらの説明に限定されるものではない。当業者にとって、本発明の構想を離脱しない場合に、いくつかの簡単な演繹または交換を更に行うことができ、いずれも本発明の保護範囲以内に含まれるべきである。
【図１】
0006050524.tif 000002
【図２】
0006050524.tif 000003
【図３】
0006050524.tif 000004
【図４】
0006050524.tif 000005
【図５】
0006050524.tif 000006
【図６】
0006050524.tif 000007